(57)【要約】【課題】鍋用加熱調理器に関して、これを装着するための切り欠きを小さくし、それによりテーブルの使用用途を広げることを可能にする。【解決手段】テーブル天板（２１）に形成された切り欠き（２２）を閉塞する配置でテーブル天板（２１）に装着される、略皿状の本体部（２０１）と本体部（２０１）の底部に形成された係止孔（２０２）と前記切り欠き（２２）内に挿入される挿入部（２０３）とを有する第１の汁受け（２）と、第１の汁受け（２）に係止される形態で前記切り欠き（２２）内に挿装される、底部に形成されたバーナー挿入孔（３０２）を有する第２の汁受け（３）と、第１の汁受け（２）内に設置される五徳（４）と、先端部が前記バーナー挿入孔（３０２）より突出する配置で前記テーブル天板（２１）の下方に設置されるバーナー（１０）と、前記テーブル天板（２１）の下面側に装着される筺体部（６）と、を有する。【選択図】図１
2006200845.tif 000002
【特許請求の範囲】
【請求項１】
テーブル天板（２１）に形成された切り欠き（２２）を閉塞する配置で前記テーブル天板（２１）に装着される、略皿状の本体部（２０１）と、該本体部（２０１）の底部に形成された係止孔（２０２）と、前記切り欠き（２２）内に挿入される挿入部（２０３）と、を有する第１の汁受け（２）と、
該第１の汁受け（２）に係止される形態で、前記テーブル天板（２１）に形成された切り欠き（２２）内に挿装される、底部に形成されたバーナー挿入孔（３０２）を有する第２の汁受け（３）と、
前記第１の汁受け（２）内に設置される五徳（４）と、
先端部が前記バーナー挿入孔（３０２）より突出する配置で前記テーブル天板（２１）の下方に設置されるバーナー（１０）と、
前記テーブル天板（２１）の下面側に装着される筺体部（６）と、を有することを特徴とする鍋用加熱調理器。
【請求項２】
前記筺体部（６）に、引き出し自在にゴミ受け（９）を装着したことを特徴とする請求項１に記載の鍋用加熱調理器。
【発明の詳細な説明】
【技術分野】
【０００１】
本発明は、鍋用加熱調理器に係り、より詳しくは、調理器を装着するためのテーブル天板の切り欠きをより小さくし、それによりテーブルの使用用途を広げることを可能にした鍋用加熱調理器に関する。
【背景技術】
【０００２】
一般的に、鍋用のガスコンロでは、テーブル天板に形成された切り欠き内に汁受けを挿装する構造が採用されおり、この汁受けの中央部を貫通する配置でガスバーナーが設置され、更に、汁受けの上方に五徳を設置し、この五徳上に鍋を設置可能としている。
【０００３】
即ち、図４はこの従来の鍋用のガスコンロの構造を示す断面図であり、図において３１がテーブル天板である。そして、図において３２はテーブル天板３１に形成された切り欠きであり、従来の鍋用のガスコンロでは、この切り欠き３２に係止される筺体３３を備えている。
【０００４】
そして、この筺体３３は一般的に、上部を開口とした有底の円筒形状あるいは箱形状としており、その内部に配置されるようにして、前記テーブル天板には汁受け３４が係止されている。そしてこれにより、汁受け３４は前記テーブル天板３１に形成された切り欠き３２内に挿装される配置とされている。
【０００５】
また、汁受け３４は、底部における中央部を盛り上がらせるとともに、この盛り上がらせた部分の上面にバーナー挿入孔３４０１を形成しており、前記筺体３３内に配置したガスバーナー３５の先端部をこのバーナー挿入孔３４０１より突出させる構造としている。
【０００６】
そして、この構成において、汁受け３４の上方において前記テーブル天板３１上に五徳３６を配置するとともに、この五徳３６上に鍋３７を設置し、これにより、バーナー３５よりの炎で五徳３６上の鍋３７を加熱することにより、鍋３７内の野菜等を加熱可能としている。
【０００７】
またこのとき、鍋３７より汁等がこぼれ出たときには、このこぼれ出た汁等を汁受け３４で受け止め、これにより鍋３７からこぼれ出た汁等によりテーブル天板３１が汚れることを防止可能にしている。
【発明の開示】
【発明が解決しようとする課題】
【０００８】
ところで、前述した従来の鍋用のガスコンロでは、テーブル天板３１に形成された切り欠き３２内に筺体３３を係止するとともに、この筺体３３内に配置されるようにしてテーブル天板３１に汁受け３４を係止する構成としているため、即ち、汁受け３４を切り欠き３２内に挿装する形態としているため、鍋３７からこぼれ出た汁等を確実に受け止めるためには、テーブル天板３１の切り欠き３２を大きくする必要があった。
【０００９】
即ち、鍋からこぼれ出た汁等を確実に受け止めるためには、汁受けの開口を鍋よりも大きくする必要があるが、このとき、テーブル天板に形成した切り欠きに汁受けを挿装する構造の場合には、切り欠きを小さく形成すると、汁受けの開口が鍋よりも小さくなってしまい、それによって、鍋からこぼれ出る汁等を確実に受け止めることができず、テーブル天板上に汁等がこぼれ落ちてしまうことがあるので、汁受けを挿装するための切り欠きを大きくしなければならない。
【００１０】
一方、一般的に鍋用のガスコンロでは、使用しない場合には切り欠きを蓋で閉塞するために、ガスバーナーの先端位置はテーブル天板より低くする必要があるとともに、ガスバーナーからの炎をより有効に鍋底に及ぼすためには、ガスバーナーの先端位置よりも汁受けの位置を低くする必要があり、従って、汁受けはテーブル天板の切り欠き内に挿装することが望ましい。そのために、従来からテーブル天板に形成する切り欠きは大きくせざるを得なかった。
【００１１】
そうすると、切り欠きを蓋によって覆った場合でも、テーブルの使用用途が限られてしまうという問題点が指摘できる。また、蓋で切り欠きを覆う場合には、蓋が大きくなってしまうために、鍋料理を行っている場合の蓋の取り扱いに窮してしまうという問題点も指摘できる。
【００１２】
そこで、本発明は、これを装着するための切り欠きを小さくし、それによりテーブルの使用用途を広げることを可能にした鍋用加熱調理器を提供することを課題としている。
【課題を解決するための手段】
【００１３】
本発明の鍋用加熱調理器は、
テーブル天板に形成された切り欠きを閉塞する配置で前記テーブル天板に装着される、略皿状の本体部と、該本体部の底部に形成された係止孔と、前記切り欠き内に挿入される挿入部と、を有する第１の汁受けと、
該第１の汁受けに係止される形態で、前記テーブル天板に形成された切り欠き内に挿装される、底部に形成されたバーナー挿入孔を有する第２の汁受けと、
前記第１の汁受け内に設置される五徳と、
先端部が前記バーナー挿入孔より突出する配置で前記テーブル天板の下方に設置されるバーナーと、
前記テーブル天板の下面側に装着される筺体部と、を有することを特徴としている。
【発明の効果】
【００１４】
本発明の鍋用加熱調理器では、第１の汁受けと第２の汁受けにより汁受けを構成し、第１の汁受けは、テーブル天板に形成された切り欠きを閉塞する配置でテーブル天板上に配置され、第２の汁受けは、第１の汁受けに係止する形態でテーブル天板に形成された切り欠き内に挿装される構成とし、これにより、鍋からこぼれ落ちた汁等を、まず、テーブル天板上に設置されている第１の汁受けで受け止め、その後に、第１の汁受けで受け止めた汁等を、切り欠き内に挿装した第２の汁受けに流し込んで受け止めることを可能としている。
【００１５】
このように、本発明の鍋用加熱調理器では、鍋からこぼれ落ちた汁を受け止める第１の汁受けをテーブル天板上に設置する構成としているため、切り欠きを大きく形成する必要が無くなり、それによって、テーブルの使用範囲を広げることができるとともに、切り欠きを覆う蓋の取り扱いも容易になった。
【発明を実施するための最良の形態】
【００１６】
本発明の鍋用加熱調理器では、テーブル天板に形成された切り欠きを閉塞する配置で、テーブル天板上に設置される第１の汁受けを備えており、この第１の汁受けは、その内部に五徳が設置される略皿状の本体部と、この本体部の底部に形成された係止孔とを有している。
【００１７】
また、第１の汁受けでは、係止孔の縁部を下方に延長させることにより挿入部が形成されており、この挿入部を切り欠き内に挿入することによって、第１の汁受けを、その位置を固定しつつテーブル天板上に設置可能としている。
【００１８】
そして、この第１の汁受けにおける前記係止孔には第２の汁受けの上端部が係止されており、これにより、第２の汁受けは、切り欠き内に挿装される配置とされている。
【００１９】
また、第２の汁受けは、その底部における中央部分を盛り上がらせるとともに、この盛り上がらせた部分の上面にバーナー挿入孔が形成されており、このバーナー挿入孔を介して第２の汁受け内に先端部が突出する配置で、テーブル天板の下方にはバーナーが設置されている。
【００２０】
そして、更に、テーブル天板の下面側には、上部を開口とした略箱形状の筐体部が装着されており、この筐体部により、切り欠きを介してテーブル天板の下方側に突出した第２の汁受けの部分、及びバーナーを収容可能としている。
【実施例１】
【００２１】
本発明の鍋用加熱調理器の実施例について図面を参照して説明すると、図１は本実施例の鍋用加熱調理器の構造を説明するための断面図であり、図において２１は、本実施例の鍋用加熱調理器が装着されるテーブル天板、また、図において２２は、このテーブル天板２１に形成された切り欠きである。
【００２２】
そして、本実施例の鍋用加熱調理器１では、テーブル天板２１上に設置される第１の汁受けを備えており、この第１の汁受けに、第２の汁受けを係止して、更に、前記第１の汁受け内に五徳を設置する構成としている。
【００２３】
即ち、図において２が第１の汁受けであり、本実施例において第１の汁受け２は、図３における符号２に示されるように、平面視野を略円形とした丸皿形状とした本体部２０１を有し、この本体部２０１における底部略中央部分には、第２の汁受けの上端部を係止するための係止孔２０２が形成されている。
【００２４】
また、本実施例では、前記係止孔２０２の縁部を下方に延出させ、これにより挿入部２０３を形成しており、図１に示されるように、挿入部２０３を切り欠き２２内に挿入することにより、第１の汁受け２を、切り欠き２２を閉塞する配置で、テーブル天板２１に設置可能にしている。
【００２５】
次に、図１において３は第２の汁受けであり、本実施例において第２の汁受け３は、図３における符号３に示されるように、平面視野を略円形とした丸皿形状としており、その上端部には、前記第１の汁受け２における係止孔２０２の周辺に係止可能な縁部３０１が形成されている。
【００２６】
また、底部における中央部分は上方向に盛り上がらせており、この盛り上がらせた部分の上面には、バーナーの先端部を挿入させるためのバーナー挿入孔３０２が形成されている。
【００２７】
そしてこの構成により、テーブル天板２１に設置した第１の汁受け２に第２の汁受け３を係止することにより、第２の汁受け３は、切り欠き２２内に挿装されつつその下方部分はテーブル天板２１の下側に突出した配置とされる。
【００２８】
このように、本実施例の鍋用加熱調理器では、鍋からこぼれ出た汁等を受け止める第１の汁受け２と、この第１の汁受け２から流れてきた汁等を受け止める第２の汁受け３とによって汁受けを構成するとともに、第２の汁受け３のみをテーブル天板２１の切り欠き２２内に挿装されるように構成したために、切り欠きの形成に際して鍋の大きさを不問にすることが可能となり、従って、切り欠き２２を小さく形成することができるようになった。
【００２９】
なお、本実施例において前記第２の汁受け３は、下方に行くに従ってその径を小さくしてテーパー状の側壁としている。そしてこれにより、これを切り欠き２２内に挿装した際に、切り欠き２２と第２の汁受け３との間に空間を形成して、第２の汁受け３により受け入れた汁の熱が天板２１側へ伝わらないようにしている。
【００３０】
次に、図１において４は五徳であり、本実施例においてこの五徳４は、リング状の部材４０１を支柱４０２により平行に二段に配置することにより構成されており、更に上段に位置するリング状部材４０１の内周側には連結部材４０３によって小径のリング状部材４０４を支持し、これにより、その上面に鍋を設置可能としている。そして、前記リング状部材４０１の外径を前記第１の汁受け２の本体部の内径よりも小さくし、これにより、第１の汁受け２内に五徳４を設置可能としている。
【００３１】
即ち、図３は第１の汁受け２、第２の汁受け３及び五徳４の関係を説明するための分解図であり、本実施例の鍋用加熱調理器では、第１の汁受け２は、挿入部２０３が切り欠き２２内に挿入されつつテーブル天板２１上に設置され、第２の汁受け３は、その上端の縁部３０１が第１の汁受け２に係止され、更に五徳４は第１の汁受け２内に設置される構成としており、これにより、清掃の際においては、第１の汁受け２を上方に持ち上げることのみで、第２の汁受け３及び五徳４を同時にテーブル天板２１より取り外すことが可能である。そして、このとき、本実施例では、第１の汁受け２の外周側任意の箇所に取っ手２０４を装着しているために、この取っ手２０４を持って第１の汁受け２を上方に持ち上げることができるので、清掃が容易であるという利点がある。
【００３２】
次に、図１において６は筺体部であり、本実施例の鍋用加熱調理器では、第２の汁受け３、及びバーナー１０における前記テーブル天板２１の下面に位置する部分を収容可能な配置で、テーブル天板２１の下面には筺体部６が装着されている。
【００３３】
ここで、図２は、前記筺体部６の分解図であり、本実施例において前記筺体部６は、本体部７と、この本体部７をテーブル天板２１に装着するために用いる蓋体部８とを有している。
【００３４】
まず、前記蓋体部８は、平面視野を略正方形状とした蓋本体８０１を有しており、この蓋本体８の略中央部分を円形に切り欠いて切り欠き部８０２を形成するとともに、この切り欠き部８０２の縁部を上方向に延出して延長部８０３を形成している。そして、この延長部８０３を、前記テーブル天板２１の切り欠き２２内に挿入した状態で、ビス、ネジ等により蓋本体部８０１をテーブル天板２１の下面に固着することにより、テーブル天板２１の下面に蓋体部８を装着可能としている。
【００３５】
次に、本体部７について説明すると、本体部７は、上部を開口とした有底の箱形状としており、上端部には縁部７０１が形成されており、ビス、ネジ等により縁部７０１を前記蓋体部８における蓋本体８０１の下面に装着することで、筺体部６をテーブル天板２１の下面に装着可能としている。
【００３６】
なお、本実施例の鍋用加熱調理器では、筺体部６内に引き出し自在にゴミ受け９を挿装しており、これにより、上方側から落下してきたゴミ、カス等が床等に落下することを防止している。そして、本実施例では、筺体部６の底部に一対のガイド７０２を形成して、このガイド７０２間にゴミ受け９を挿入することとしている。
【００３７】
次に、図１において１０はガスバーナーであり、本実施例では、前記筺体部６内の下方側にバーナー受け７０３を形成し（図２においては、本体部７の内部を理解し易くするためにバーナー受けは省略している。）、このバーナー受け７０３に支持されつつ、かつ、先端部が前記第２の汁受け３のバーナー挿入孔３０２より突出する配置で、筺体部６内にガスバーナー１０を設置しており、使用に際しては、筺体部６における本体部７に形成したバーナー挿入窓７０４を介してガスバーナー１０にガス管のノズル（図示せず）を連結し、これにより五徳４上に設置した鍋を下方から加熱可能としている。
【００３８】
次に、このように構成される本実施例の鍋用加熱調理器の作用について説明すると、図１に示す状態において、五徳４上に鍋を設置するとともに鍋内に食材を入れ、その後に、ガスバーナー１０に着火すると、ガスバーナー１０よりの炎で鍋を加熱し、それにより鍋料理を行うことができる。
【００３９】
そして、鍋から汁等がこぼれ出た場合には、このこぼれ出た汁等はまず、テーブル天板２１上の第１の汁受け２により受け止められ、次いで、第１の汁受け２により受け止められた汁等は、第２の汁受け３へ流れていく。また、第２の汁受け３におけるバーナー挿入孔３０１等より落下したゴミ等は筺体部６のゴミ受け９により捕獲することができる。
【００４０】
そして、このとき、本実施例の鍋用加熱調理器では、鍋からこぼれ出た汁等を受け止める第１の汁受け２をテーブル天板２１上に設置し、この第１の汁受け２に係止する配置で、第２の汁受けを、テーブル天板２１の切り欠き２２内に挿装しているために、テーブル天板２１の切り欠き２２内に挿装される第２の汁受け３の大きさを鍋の大きさと無関係に小さくすることができる。従って、本実施例の鍋用加熱調理器では、切り欠きを小さく形成することができ、それによって、テーブルの使用用途を広げることが可能である。
【００４１】
また、掃除の際には、第１の汁受け２を引き上げることのみで、第１の汁受け２とともに第２の汁受け３及び五徳４を取り外すことができるので、掃除の際の作業が極めて容易である。
【００４２】
更に、筐体部６における蓋体部８の延長部８０１を切り欠き２２内に挿入可能にしているために、第１の汁受け２、第２の汁受け３及び五徳４を取り外した後に切り欠き２２内に蓋を挿入すると、蓋体部８における延長部８０１の上端で蓋を支持することが可能であり、切り欠き２２を閉塞する蓋を支持するための特別の構造を形成する必要もない。
【００４３】
更にまた、第２の汁受け３の側壁をテーパー状に形成して第２の汁受け３の側壁とテーブル天板21とが接触しないようにしているため、第２の汁受け３により受け入れた汁の熱がテーブル天板２１側へ伝わらず、それによりテーブル天板２１の劣化を防止することが可能である。
【産業上の利用可能性】
【００４４】
本発明では、鍋からこぼれ出た汁等を受け入れる汁受けを、テーブル天板上に設置される第１の汁受けと、この第１の汁受けに係止されつつテーブル天板の切り欠き内に挿装される第２の汁受けとで構成し、これにより切り欠きを小さくすることを可能にしたために、汁受けを備えるとともにテーブル天板に装着される加熱調理器の全般に適用可能である。
【図面の簡単な説明】
【００４５】
【図１】本発明の鍋用加熱調理器の実施例の断面図である。
【図２】本発明の鍋用加熱調理器の実施例における筐体を説明するための斜視図である。
【図３】本発明の鍋用加熱調理器の実施例における第１の汁受けと第２の汁受けと五徳との関係を説明するための分解図である。
【図４】従来の鍋用加熱調理器を説明するための図である。
【符号の説明】
【００４６】
２    第１の汁受け
２０１    本体部
２０２    係止孔
２０３    挿入部
２０４    取っ手
３    第２の汁受け
３０１    縁部
３０２    バーナー挿入孔
４    五徳
４０１    リング状部材
４０２    支柱
４０３    連結部材
４０４    小径のリング状部材
６    筐体部
７    筐体部の本体部
７０１    縁部
７０２    ガイド
７０３    バーナー受け
７０４    バーナー挿入窓
８    筐体部の蓋体部
８０１    蓋本体部
８０２    切り欠き部
８０３    延長部
９    ゴミ受け
１０    ガスバーナー
【図１】
2006200845.tif 000003
【図２】
2006200845.tif 000004
【図３】
2006200845.tif 000005
【図４】
2006200845.tif 000006